【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】  ハンドルパネルを備えかつ該ハンドルパネルの各コーナー部が該ハンドルパネルにおける互いに交差する両側縁及び両端縁により形成されて成るカートンのためのハンドル構造であって、
ストラップ部材と、
部分分離線と、を有し、
前記ストラップ部材は、前記ハンドルパネルと一体に結合されて前記両端縁間に延在し、実質的に前記ハンドルパネルから分離された両ストラップ端縁を有し、かつ該ストラップ部材は、実質的に中央に位置した領域を有しており、前記両ストラップ端縁における両ストラップ端縁中央部分は、前記両側縁間に位置するとともに該両端縁と平行となっており、
前記部分分離線は、前記ハンドルパネルの各コーナー部に近接して設けられ、かつ、対応した各コーナー部に近接した第一の端部点から前記ストラップ部材の前記中央に位置した領域に近接した第二の端部点に延在しており、
前記中央に位置した領域に、前記ハンドルパネルの存在する面に対しほぼ垂直となる力が付与された際に、前記ストラップ部材が、前記面に近接状態にバイアスされた位置から実質的に前記面の外方に撓むよう構成されて成ることを特徴とするハンドル構造。
【請求項２】  請求項１記載のハンドル構造において、前記部分分離線は実質的に前記両側縁と平行であることを特徴とするハンドル構造。
【請求項３】  請求項１記載のハンドル構造において、前記部分分離線は、該部分分離線が前記第二の端部点から前記第一の端部点に延びる途中で、前記両側縁のうち近接した一方の側縁より分岐することを特徴とするハンドル構造。
【請求項４】  請求項１記載のハンドル構造において、前記カートン内には所定の径を有した複数の円筒形物品が整列状態に包装され、これら整列された物品のうち前記ハンドルパネルに隣接してコーナー部に位置した物品の本体部における円筒形側壁が前記ハンドパネルに接しており、前記第一の端部点が接線上又は接線に近接して設けられていることを特徴とするハンドル構造。
【請求項５】  請求項１記載のハンドル構造において、前記両ストラップ縁の各々の終端部に隣接した前記ハンドル構造の前記端部領域と、前記ハンドルパネルの前記両側縁の各々に隣接した領域とを接合するウェブの一部が、前記各部分分離線によって形成されていることを特徴とするハンドル構造。
【請求項６】  請求項１記載のハンドル構造において、前記各コーナー部に配され、前記各コーナーに隣接した第一の端部点と、前記部分分離線の前記第一の端部点に隣接した第二の端部点とを有した互いに一致しない折り目線及び穿孔線の対により形成されたガセットを備えていることを特徴とするハンドル構造。
【請求項７】  ハンドルパネルを備えかつ該ハンドルパネルの各コーナー部が該ハンドルパネルにおける互いに交差する両側縁及び両端縁により形成されて成るカートンを形成するブランクのためのハンドル構造であって、
ストラップ部材と、 部分分離線と、を有し、
前記ストラップ部材は、前記ハンドルパネルと一体に結合されて前記両端縁間に延在し、実質的に前記ハンドルパネルから分離された両ストラップ端縁を有し、かつ該ストラップ部材は、実質的に中央に位置した領域を有しており、前記両ストラップ端縁における両ストラップ端縁中央部分は、前記両側縁間に位置するとともに該両端縁と平行となっており、
前記部分分離線は、前記ハンドルパネルの各コーナー部に近接して設けられ、かつ、対応した各コーナー部に近接した第一の端部点から前記ストラップ部材の前記中央に位置した領域に近接した第二の端部点に延在しており、
前記中央に位置した領域に、前記ハンドルパネルの存在する面に対しほぼ垂直となる力が付与された際に、前記ストラップ部材が、前記面に近接状態にバイアスされた位置から実質的に前記面の外方に撓むよう構成されて成ることを特徴とするハンドル構造。
【請求項８】  請求項７記載のハンドル構造において、前記両ストラップ縁と前記ハンドルパネルの隣接した部分を連結する複数の第一の破断可能部分を備え、前記ストラップ部材の前記中央に位置した領域に、前記ハンドルパネルの概念上の平面に対し実質的に垂直な力が付与された際、前記ハンドルパネルの前記ストラップ部材は、前記中央に位置した領域に最も近接した位置から撓み始め、該撓みが順次前記両端縁の各々に向かって連続的に進行するようにしてハンドルパネルの外方に撓むことを特徴とするハンドル構造。
【請求項９】  請求項７記載のハンドル構造において、前記部分分離線をブリッジする複数の第二の破断可能部分を備え、前記ストラップ部材の前記中央に位置した領域に、前記ハンドルパネルの概念上の平面に対し実質的に垂直な力が付与された際、前記ハンドルパネルの前記ストラップ部材は、前記中央に位置した領域に最も近接した位置から撓み始め、該撓みが順次前記両端縁の各々に向かって連続的に進行するようにしてハンドルパネルの外方に撓むことを特徴とするハンドル構造。
【請求項１０】  請求項７記載のハンドル構造において、前記部分分離線は実質的に前記両側縁と平行であることを特徴とするハンドル構造。
【請求項１１】  請求項７記載のハンドル構造において、前記部分分離線は、該部分分離線が前記第二の端部点から前記第一の端部点に延びる途中で、前記両側縁のうち近接した一方の側縁より分岐することを特徴とするハンドル構造。
【請求項１２】  請求項７記載のハンドル構造において、前記カートン内には所定の径を有した複数の円筒形物品が整列状態に包装され、これら整列された物品のうち前記ハンドルパネルに隣接してコーナー部に位置した物品の本体部における円筒形側壁が前記ハンドパネルに接しており、前記第一の端部点が接線上又は接線に近接して設けられていることを特徴とするハンドル構造。
【請求項１３】  請求項７記載のハンドル構造において、前記両ストラップ縁の各々の終端部に隣接した前記ハンドル構造の前記端部領域と、前記ハンドルパネルの前記両側縁の各々に隣接した領域とを接合するウェブの一部が、前記各部分分離線によって形成されていることを特徴とするハンドル構造。
【請求項１４】  請求項７記載のハンドル構造において、前記各コーナー部に配され、前記各コーナーに隣接した第一の端部点と、前記部分分離線の前記第一の端部点に隣接した第二の端部点とを有した互いに一致しない折り目線及び穿孔線の対により形成されたガセットを備えていることを特徴とするハンドル構造。
【請求項１５】  ストラップ形態のハンドルを有したカートンであって、前記ハンドルは、カートンハンドルパネルに形成されたハンドル開口をブリッジするものであり、前記カートンハンドルパネルは二つの別のカートンパネルの各縁部に折り曲げ可能に接続されており、二つの別の前記カートンパネルの各々は、該カートンに収納された複数の缶の上部列及び底部列に当接し、前記ストラップハンドルは、該カートンの二つの両端部パネル間に前記ハンドルパネルの長手方向に沿って延在しており、かつ、該カートンの各コーナー部と前記ハンドルパネルの隣接端との間には折り曲げ可能なガセットが設けられており、各ガセットは、前記ハンドルストラップが負荷によって前記ハンドルパネルの面より外方に持ち上げられた際に変形するよう構成配置されており、このため、前記両端部パネル及び前記ハンドルパネルに隣接して最も端部に配置された各缶が前記二つの別のパネル間におけるブレース部材として機能して、引き上げにより生じた応力の有意分を前記最も端部に配置された各缶の頂部及び底部の周囲における前記二つの別のパネルに分散させ、さらに、タブを有したウェブ構造が設けられており、前記タブは、前記ストラップ形態のハンドルと前記カートンハンドルパネルとを、前記ハンドルパネルに形成された前記ハンドル開口に近接した位置でかつ前記ストラップハンドルの各端部と前記各コーナーガセットとの間で連結し、これによって、前記ストラップハンドルの前記ハンドルパネルの面から外方への変位、及び/又は、ブレース上部材として機能する前記缶の両端に負荷が付与される範囲に影響が及ぼされることを特徴とするカートン。
【請求項１６】  請求項１５記載のカートンにおいて、前記各コーナーガセットは、互いに一致することのない穿孔線及び折り目線を有していることを特徴とするカートン。
【請求項１７】  請求項１６記載のカートンにおいて、前記穿孔ラインは実質的に前記カートンの前記各コーナーに向かって延びていることを特徴とするカートン。
【請求項１８】  請求項１７記載のカートンにおいて、前記折り目線は、前記穿孔線と、前記両端縁のうち近接した一方の端縁との間に形成されていることを特徴とするカートン。
【請求項１９】  請求項１８記載のカートンにおいて、前記穿孔線及び前記折り目線は前記コーナー部の一つと前記各タブの中間点から分岐していることを特徴とするカートン。
【請求項２０】  請求項１９記載カートンにおいて、前記二つの別のカートンパネルの一方に明確な弱化線を備えており、該弱化線は、前記折り目線の延長線と前記両端縁の一方との交点と実質的に一致して形成されていることを特徴とするカートン。
【請求項２１】  請求項２０記載のカートンにおいて、前記明確な弱化線は、少なくとも一つの切断セグメントを有した穿孔線であることを特徴とするカートン。
【請求項２２】  請求項１９記載のカートンにおいて、実質的に前記ウェブ構造と前記両端縁のうち近接した一方の端縁との間に延びた第二の折り目線を備えていることを特徴とするカートン。
【請求項２３】  請求項２２記載のカートンにおいて、前記ウェブ構造は前記タブと前記点との間に延びた切断線を備えており、さらに、前記第二の折り目線は、前記切断線と前記両端縁のうち近接した一方の端縁との間に延びていることを特徴とするカートン。